(57)【特許請求の範囲】
【請求項１】
電動モータによって駆動力を伝達され回転する下ローラーが回転可能に軸支されると共に、上部に上ローラーが軸支される本体と、前記上ローラーと前記下ローラーとの間に巻き掛けられた研磨用ベルトと、前記本体に開閉可能に取付けられ裏面に研磨布が設けられたカバーと、とを備え、前記研磨用ベルトと前記研磨布の間に玉を挟んで研磨しながら揚送する研磨機に用いられるロック装置であって、
前記カバーから上下方向に所定間隔で突設されたロック部と、前記本体に回転可能に取付けられ前記カバーの閉止状態で前記ロック部を係止するフック部が形成されたレバーと、で構成されたロック装置において、複数設けられた前記レバーに跨って配置される操作ロッドと、前記操作ロッドを各レバーに連結すると共に、該レバーの回動軌跡に沿って操作ロッドを押し引きし前記本体側又は前記カバー側へスライドさせる動作を各レバーの回動運動に変換する連結手段と、を有し、
前記連結手段が、前記レバーから突設された連結ピンと、前記操作ロッドに形成され前記連結ピンが挿通される連結孔と、で構成されたことを特徴とするロック装置。
【発明の詳細な説明】
【０００１】
【発明の属する技術分野】
本発明は、本体に開閉可能に取付けられたカバーをロックするロック装置に関する。
【０００２】
【従来技術】
パチンコホールの島には、図８及び図９に示すような玉を磨く研磨機６０が配置されている。この研磨機６０の本体６２には、上下にローラーが設けられており、ローラーの間に、研磨用ベルト６４が上下方向に巻き掛けられている。この研磨用ベルト６４と対向するように、研磨布６６が貼られたカバー６８が本体６０へ開閉可能に取付けられている。
【０００３】
このカバー６８を閉じて、図７に示すように、把手７０に指を掛けてレバー７２を回動させ、カバー６８側に設けられたピン７４を係止することにより、研磨布６６と研磨用ベルト６４との間に玉が通過する隙間が形成される。
【０００４】
ところで、カバー６８を均等に締め付けるため、研磨機６０には、複数のレバー７２が設けられている。このため、レバー７２を指で一つ一つ回転させ、ロック或いはロック解除する作業は手間を要し、また、高い位置にあるレバー７２（通常、床面より約２．５ｍの高さにある）は、手が届かないため、専用の治具を用いて、ロック或いはロック解除作業を行っていた。さらに、レバー７２が複数あるため、注意しないとロックし忘れることがある。
【０００５】
【発明が解決しようとする課題】
本発明は係る事実を考慮して、１つの動作でレバーを連動して回動させ、カバーをロック或いはロック解除することができるロック装置を提供することを課題とする。
【０００６】
【発明が解決しようとする課題】
請求項１に記載の発明は、電動モータによって駆動力を伝達され回転する下ローラーが回転可能に軸支されると共に、上部に上ローラーが軸支される本体と、前記上ローラーと前記下ローラーとの間に巻き掛けられた研磨用ベルトと、前記本体に開閉可能に取付けられ裏面に研磨布が設けられたカバーと、とを備え、前記研磨用ベルトと前記研磨布の間に玉を挟んで研磨しながら揚送する研磨機に用いられる。カバーには、複数のロック部が上下方向に所定間隔で突設されている。また、本体には、ロック部と同数のレバーが回転可能に取付けられている。
【０００７】
このレバーには、連結手段によって、操作ロッドが連結されており、この操作ロッドは複数のレバーに跨っている。そして、カバーを閉じ、レバーの回動軌跡に沿って操作ロッドを押し引きして、本体側又はカバー側へスライドさせることにより、連動手段によって、複数のレバーが連動して回動し、フック部がロック部を係止し、或いは、フック部がロック部から離れる。
【０００８】
このように、操作ロッドを押し引きするだけで、一度にカバーをロック或いはロック解除できる。
【０００９】
レバーからは連結手段としての連結ピンが突設されており、操作ロッドに形成され連結孔がこの連結ピンへ挿通されている。ここで、操作ロッドを押し引きすると、連結ピンが連結孔の孔壁に押され、レバーが軸部を中心に回転して、フック部がロック部を係止し、或いは、フック部がロック部から離れる。
【００１０】
このような簡単な構造で、一度にカバーをロック或いはロック解除できる。
【００１１】
【発明の実施の形態】
図５及び図６には、本形態に係るロック装置が取付けられた研磨機１０が示されている。この研磨機１０は、床面に固定されるベース板１２を備えている。このベース板１２には、基台１４が固定されている。基台１４には、電動モータによって駆動力を伝達され回転する下ローラーが回転可能に軸支されている。
【００１２】
また、基台１４からは、チャンネル状のハウジング１６が立ち上げられている。ハウジング１６の上部には、上ローラーが軸支されており、この上ローラーと下ローラーとの間には、研磨用ベルト１８が巻き掛けられている。
【００１３】
また、ハウジング１６には、開口部１６Ａを覆うように、ヒンジを介してカバー２０が開閉可能に取付けられている。このカバー２０の裏面には、図示しない柔軟弾性体が装着されており、この柔軟弾性体の表面が研磨布２２で覆われている。この研磨布２２と研磨用ベルト１８との間に玉が挟まれ、研磨されながら上方へ揚送される。
【００１４】
図１〜図４に示すように、カバー２０の側面には、頭部が拡径したロックピン２４が上下方向に所定の間隔で突設されている（図６参照）。一方、ハウジング１６の側面には、ロックピン２４と対応する位置に取付プレート２６がビス２８で固定されている。このビス２８が挿入される長孔３０は、水平方向に長円状となっているので、ロックピン２４に対して取付プレート２６を容易に位置決めできる。
【００１５】
また、取付プレート２６のカバー２０側には、軸３２で板状のレバー３４が回転可能に軸支されている。このレバー３４の中央部には、フック部３６が切り欠かれており、レバー３４が水平状態になるまで回転したとき、ロックピン２４を係止するようになっている。
【００１６】
さらに、レバー３４からは、止めピン３８が突設されている。この止めピン３８と取付プレート２６から突設された止めピン４０の間には、引張ばね４２が掛け渡されており、レバー３４をハウジング１６側に付勢している。
【００１７】
また、取付プレート２６の上端には、ストッパー４４が張り出しており、直立状態となったレバー３４の背面に当たって、レバー３４をハウジング１６側へそれ以上回転させないようにしている。
【００１８】
一方、レバー３４の自由端側には、連結ピン４６が突設されている。この連結ピン４６は、図５に示すように、複数のレバー３４に跨がるように配置された操作ロッド４８の外周面に形成された連結孔５０へ遊嵌されている。
【００１９】
次に、本形態に係るロック装置の作用を説明する。
図１及び図３に示すように、カバー２０のロック状態を解除するには、操作ロッド４８を指で把持し、上方へ押し上げながら、レバー３４の回転軌跡に沿ってハウジング１６側へスライドさせる。
【００２０】
これによって、連結孔５０の孔壁に連結ピン４６が押され、レバー３４の回転運動に変換される。この操作ロッド４８は、図５に示すように、複数のレバー３４に連結されているので、一度に複数のレバー３４が連動して回動し、ロックピン２４からフック部３６が離れる。
【００２１】
従って、従来のように、全てのレバーを指で一々回転させ、ロック解除する必要がなくなり、カバー２０のロック解除作業が簡単に済む。
【００２２】
一方、カバー２０をロックする場合は、図２及び図４に示すように、上述した操作を反対の操作を行えば、一度にレバー３４のフック部３６がロックピン２４を係止する。
【００２３】
このように、操作ロッド４８を押し引きするだけで、一度にカバー２０をロック或いはロック解除できるので、研磨用ベルト１８及び研磨布２２の交換作業が迅速にできる。また、全てのレバー３４は連動して動くので、何れかの個所をロックし忘れたといった不都合も生じない。さらに、高い位置にあるレバーも専用の治具を使用せず、簡単に操作できる。
【００２４】
なお、本形態では、研磨機１０のカバー２０を例に採って説明したが、カバーを複数箇所でロックする必要があるロック装置に適用できることは無論である。また、レバー３４と操作ロッド４８との連結構造は、上述したものに限定されるものではない。例えは、操作ロッド４８からピンを突設させ、レバー３４に設けた孔へ遊嵌させもよく、また、図７に示す把手７０を大きくして、大きな把手に長孔を形成し、長孔へ操作ロッド４８を挿通し、操作ロッド４８に設けたストッパーでレバーを回動させるようにしてもよい。
【００２５】
【発明の効果】
本発明は上記構成としたので、１つの動作で複数のレバーを連動して回動させ、カバーをロック或いはロック解除することができる。
【図面の簡単な説明】
【図１】本形態のロック装置でカバーがロックされた状態を示す斜視図である。
【図２】本形態のロック装置によってカバーのロックが解除された状態を示す斜視図である。
【図３】本形態のロック装置でカバーがロックされた状態を示す正面図である。
【図４】本形態のロック装置によってカバーのロックが解除された状態を示す正面図である。
【図５】本形態のロック装置を備えた研磨機のカバーが閉じられた状態を示した斜視図である。
【図６】本形態のロック装置を備えた研磨機のカバーが開放した状態を示した斜視図である。
【図７】従来のロック装置でカバーがロックされた状態を示す斜視図である。
【図８】従来のロック装置を備えた研磨機のカバーが閉じられた状態を示した斜視図である。
【図９】従来のロック装置を備えた研磨機のカバーが開放した状態を示した斜視図である。
【符号の説明】
２４      ロックピン（ロック部）
３４      レバー
４８      操作ロッド
４６      連結ピン（連結手段）
５０      連結孔（連結手段）
【図１】
0003761638.tif 000002
【図２】
0003761638.tif 000003
【図３】
0003761638.tif 000004
【図４】
0003761638.tif 000005
【図５】
0003761638.tif 000006
【図６】
0003761638.tif 000007
【図７】
0003761638.tif 000008
【図８】
0003761638.tif 000009
【図９】
0003761638.tif 000010